(57)【要約】【課題】隣接図形オブジェクトとの干渉状態を確認しつつ処理対象図形オブジェクトの編集作業をすることができる図形処理装置、図形処理方法、およびプログラムを提供する。【解決手段】処理対象図形オブジェクトのうち展開図２１０ａに外接する外接領域２５２と、外接領域２５２を含む外側領域２５０とを設定し、外側領域２５０を選択領域とする。続いて、複数の展開図２１０のうち、選択領域２５０に存在するものを隣接図形オブジェクトとして選択する。そして、処理対象図形オブジェクトを編集可能状態にて、隣接図形オブジェクトとともに表示する。これにより、両図形オブジェクトの干渉状態を容易に把握することができ、処理対象図形オブジェクトの編集作業を効率的に行うことができる。【選択図】図６
2005202666.tif 000002
【特許請求の範囲】
【請求項１】
複数の図形要素から構成される図形部をそれぞれが有する複数の図形オブジェクトを所定の平面範囲内に配置してなる図形情報データについての処理を行う図形処理装置であって、
(a)  前記複数の図形オブジェクトの中から選択された処理対象図形オブジェクトを取得する第１の取得手段と、
(b)  前記処理対象図形オブジェクトに隣接して配置された隣接図形オブジェクトを取得する第２の取得手段と、
(c)  前記処理対象図形オブジェクトを基準とし、前記処理対象図形オブジェクトと前記隣接図形オブジェクトとの位置関係を保持しつつ、前記処理対象図形オブジェクトを前記隣接図形オブジェクトとともに表示する表示手段と、
(d)  前記処理対象図形オブジェクトと前記隣接図形オブジェクトとの双方を前記表示手段に表示させた状態で、前記処理対象図形オブジェクトをオペレータの指示に基づいて編集する編集手段と、
を備えることを特徴とする図形処理装置。
【請求項２】
請求項１に記載の図形処理装置において、
前記編集手段は、
前記処理対象図形オブジェクトの図形部を膨張させた範囲として形成され、当該処理対象図形オブジェクトにデザインデータを付与する際の付与範囲を規定するマスク部について、当該マスク部の平面的な広がり範囲を補正する手段、
を備えることを特徴とする図形処理装置。
【請求項３】
請求項２に記載の図形処理装置において、
第２の取得手段は、
前記処理対象図形オブジェクトの周囲を囲む第１の定型図形に基づいて第２の定型図形を設定し、前記複数の図形オブジェクトのうち、前記第２の定型図形と重なる図形オブジェクトを、前記隣接図形オブジェクトとして選択することを特徴とする図形処理装置。
【請求項４】
請求項２に記載の図形処理装置において、
第２の取得手段は、
前記処理対象図形オブジェクトの周囲を囲む第１の定型図形に基づいて第２の定型図形を設定するとともに、前記複数の図形オブジェクトのそれぞれについて、その周囲を第３の定型図形によって囲まれる外接領域を設定し、
前記第２の定型図形と重なる前記外接領域に対応する図形オブジェクトを前記隣接図形オブジェクトとして選択することを特徴とする図形処理装置。
【請求項５】
請求項４に記載の図形処理装置において、
前記第３の定型図形は、前記複数の図形オブジェクトのそれぞれが内接する第３の矩形であることを特徴とする図形処理装置。
【請求項６】
請求項３ないし請求項５のいずれかに記載の図形処理装置において、
前記第１の定型図形は、前記処理対象図形オブジェクトが内接する第１の矩形であり、
前記第２の定型図形は、前記第１の矩形を囲む第２の矩形であることを特徴とする図形処理装置。
【請求項７】
請求項６に記載の図形処理装置において、
前記第１の矩形の中心位置と前記第２の矩形の中心位置とは略一致していることを特徴とする図形処理装置。
【請求項８】
請求項１に記載の図形処理装置において、
前記第２の取得手段は、
前記複数の図形オブジェクトのうち、前記処理対象図形オブジェクトの図形部が内接する矩形の４近傍に位置するそれぞれの図形オブジェクトを、前記隣接図形オブジェクトとして選択することを特徴とする図形処理装置。
【請求項９】
請求項１に記載の図形処理装置において、
前記第２の取得手段は、
前記複数の図形オブジェクトのうち、前記処理対象図形オブジェクトの図形部が内接する矩形の８近傍に位置するそれぞれの図形オブジェクトを、前記隣接図形オブジェクトとして選択することを特徴とする図形処理装置。
【請求項１０】
請求項１ないし請求項９のいずれかに記載の図形処理装置において、
前記表示手段は、前記処理対象図形オブジェクトを前記隣接図形オブジェクトと異なった表示態様で表示することを特徴とする図形処理装置。
【請求項１１】
請求項１０に記載の図形処理装置において、
前記表示手段は、前記処理対象図形オブジェクトを前記隣接図形オブジェクトと異なった色で表示することを特徴とする図形処理装置。
【請求項１２】
請求項１０または請求項１１に記載の図形処理装置において、
前記表示手段は、前記処理対象図形オブジェクトを構成する線分を前記隣接図形オブジェクトを構成する線分と異なった太さで表示することを特徴とする図形処理装置。
【請求項１３】
複数の図形要素から構成される図形部をそれぞれが有する複数の図形オブジェクトを所定の平面範囲内に配置してなる図形情報データについての処理を行う図形処理方法であって、
(a)  前記複数の図形オブジェクトの中から選択された処理対象図形オブジェクトを取得する工程と、
(b)  前記処理対象図形オブジェクトに隣接して配置された隣接図形オブジェクトを取得する工程と、
(c)  前記処理対象図形オブジェクトを基準とし、前記処理対象図形オブジェクトと前記隣接図形オブジェクトとの位置関係を保持しつつ、前記処理対象図形オブジェクトを前記隣接図形オブジェクトとともに表示する工程と、
(d)  前記処理対象図形オブジェクトを編集する編集工程と、
を備え、
前記編集工程が、
前記処理対象図形オブジェクトと前記隣接図形オブジェクトとの双方を前記表示部に表示させた状態で、前記処理対象図形オブジェクトをオペレータの指示に基づいて編集する工程、
を備えることを特徴とする図形処理方法。
【請求項１４】
複数の図形要素から構成される図形部をそれぞれが有する複数の図形オブジェクトを所定の平面範囲内に配置してなる図形情報データについての処理を行うコンピュータ読み取り可能なプログラムであって、前記コンピュータによる前記プログラムの実行は、前記コンピュータに、
(a)  前記複数の図形オブジェクトの中から選択された処理対象図形オブジェクトを入力して前記コンピュータの記憶部に格納する工程と、
(b)  前記処理対象図形オブジェクトに隣接して配置された隣接図形オブジェクトを入力して前記コンピュータの記憶部に格納する工程と、
(c)  前記コンピュータの演算部によって、前記記憶部に格納された前記処理対象図形オブジェクトを基準とし、前記処理対象図形オブジェクトと前記記憶部に格納された前記隣接図形オブジェクトとの位置関係を保持しつつ、前記処理対象図形オブジェクトを前記隣接図形オブジェクトとともに表示部に表示する工程と、
(d)  オペレータの操作に応答して、前記記憶部に格納された前記処理対象図形オブジェクトを編集する編集工程と、
を実行させ、
前記編集工程が、
前記処理対象図形オブジェクトと前記隣接図形オブジェクトとの双方を前記表示部に表示させた状態で、前記処理対象図形オブジェクトをオペレータの指示に基づいて編集する工程、
を備えることを特徴とするプログラム。
【発明の詳細な説明】
【技術分野】
【０００１】
本発明は、複数の図形オブジェクトを配置した図形情報データに基づき、前記複数の図形オブジェクトにデザインデータを付与したレイアウトデータを作成する図形処理装置、図形処理方法、およびプログラムに関するもので、特に、処理対象図形オブジェクトを効率的に編集するための改良に関する
【背景技術】
【０００２】
従来より、ＣＡＤの機能を使用した紙器（商品の収納・包装に用いられる紙製の容器）の展開図を所定領域内に複数割り付ける方法が知られている（例えば、特許文献１）。
【０００３】
そして、紙器は、特許文献１の方法によって割り付けられた複数の展開図を、（１）１枚の厚紙やダンボール等の所定の被印刷材料に印刷し、（２）印刷物上の複数の展開図をそれぞれ裁断機によって裁断するとともに、（３）個別に組み立てること、によって完成する。このように、１枚の被印刷材料からは複数の紙器を取得することができる。
【０００４】
【特許文献１】特開２０００−１４８８２０号公報
【発明の開示】
【発明が解決しようとする課題】
【０００５】
ところで、紙器の表面には、当該紙器に収容される商品の内容物に関する情報を表示したり商品の生産者および販売者等を表示するため、文字や図形等のデザインが付される。そのため、特許文献１の方法によって所定領域内に複数の紙器の展開図が割り付けられると、それぞれの展開図には上述のデザインが付されることとなる。
【０００６】
また、展開図に付されるデザインの領域サイズは、裁断機による裁断線がずれた場合を考慮に入れて各展開図の領域サイズをより大きくなるように、すなわち、各展開図の領域からはみ出るように設定されている。
【０００７】
さらに、複数の展開図のそれぞれにデザインを付与するため、各展開図のそれぞれを含むようにマスクを作成するとともに、そのマスクの内側領域にデザインを挿入することにより、複数の展開図のそれぞれにデザインデータを重ね合わせる処理を行っている。
【０００８】
ここで、複数の展開図は、１枚の被印刷材料から可能な限り多くの紙器を取得することを目的として、隣接する展開図は、それぞれ近接または展開図の一部が接した状態で配置される。これにより、特定の展開図に対応するマスク領域に隣接する展開図の一部が含まれる場合が生ずる。その結果、特定の展開図に付するデザインが隣接する展開図にも付されてしまうといった問題が生ずる。したがって、各展開図に正しくデザインを付するためには、着目する展開図に対応するマスクの内側領域に、隣接する展開図の一部であって他の展開図のデザインが付されることが好ましくない部分（例えば、隣接する展開図上に商品名や図形等が付される部分）を含まないようにマスク領域を編集して修正する必要がある。
【０００９】
しかしながら、従来の図形処理装置におけるマスクの編集作業では、表示画面に選択された展開図および対応するマスクを表示する「編集可能モード」でのみ可能であった。また、当該選択された展開図および対応するマスク（処理対象図形オブジェクト）と隣接する展開図（隣接図形オブジェクト）の干渉状態を確認するためには、複数の展開図全部を表示する「全体表示モード」でのみ可能であった。その結果、マスクの修正を行うためには、この「編集可能モード」と「全体表示モード」との切替動作が必要となり、作業効率が低下するという問題が生じていた。
【００１０】
そこで、本発明では、複数の図形オブジェクトから選択された処理対象図形オブジェクトを編集する際に、隣接図形オブジェクトとの干渉状態を確認しつつ処理対象図形オブジェクトの編集作業をすることができる図形処理装置、図形処理方法、およびプログラムを提供することを目的とする。
【課題を解決するための手段】
【００１１】
上記課題を解決するため、請求項１の発明は、複数の図形要素から構成される図形部をそれぞれが有する複数の図形オブジェクトを所定の平面範囲内に配置してなる図形情報データについての処理を行う図形処理装置であって、前記複数の図形オブジェクトの中から選択された処理対象図形オブジェクトを取得する第１の取得手段と、前記処理対象図形オブジェクトに隣接して配置された隣接図形オブジェクトを取得する第２の取得手段と、前記処理対象図形オブジェクトを基準とし、前記処理対象図形オブジェクトと前記隣接図形オブジェクトとの位置関係を保持しつつ、前記処理対象図形オブジェクトを前記隣接図形オブジェクトとともに表示する表示手段と、前記処理対象図形オブジェクトと前記隣接図形オブジェクトとの双方を前記表示手段に表示させた状態で、前記処理対象図形オブジェクトをオペレータの指示に基づいて編集する編集手段と、を備えることを特徴とする。
【００１２】
また、請求項２の発明は、請求項１に記載の図形処理装置において、前記編集手段は、前記処理対象図形オブジェクトの図形部を膨張させた範囲として形成され、当該処理対象図形オブジェクトにデザインデータを付与する際の付与範囲を規定するマスク部について、当該マスク部の平面的な広がり範囲を補正する手段、を備えることを特徴とする。
【００１３】
また、請求項３の発明は、請求項２に記載の図形処理装置において、第２の取得手段は、前記処理対象図形オブジェクトの周囲を囲む第１の定型図形に基づいて第２の定型図形を設定し、前記複数の図形オブジェクトのうち、前記第２の定型図形と重なる図形オブジェクトを、前記隣接図形オブジェクトとして選択することを特徴とする。
【００１４】
また、請求項４の発明は、請求項２に記載の図形処理装置において、第２の取得手段は、前記処理対象図形オブジェクトの周囲を囲む第１の定型図形に基づいて第２の定型図形を設定するとともに、前記複数の図形オブジェクトのそれぞれについて、その周囲を第３の定型図形によって囲まれる外接領域を設定し、前記第２の定型図形と重なる前記外接領域に対応する図形オブジェクトを前記隣接図形オブジェクトとして選択することを特徴とする。
【００１５】
また、請求項５の発明は、請求項４に記載の図形処理装置において、前記第３の定型図形は、前記複数の図形オブジェクトのそれぞれが内接する第３の矩形であることを特徴とする。
【００１６】
また、請求項６の発明は、請求項３ないし請求項５のいずれかに記載の図形処理装置において、前記第１の定型図形は、前記処理対象図形オブジェクトが内接する第１の矩形であり、前記第２の定型図形は、前記第１の矩形を囲む第２の矩形であることを特徴とする。
【００１７】
また、請求項７の発明は、請求項６に記載の図形処理装置において、前記第１の矩形の中心位置と前記第２の矩形の中心位置とは略一致していることを特徴とする。
【００１８】
また、請求項８の発明は、請求項１に記載の図形処理装置において、前記第２の取得手段は、前記複数の図形オブジェクトのうち、前記処理対象図形オブジェクトの図形部が内接する矩形の４近傍に位置するそれぞれの図形オブジェクトを、前記隣接図形オブジェクトとして選択することを特徴とする。
【００１９】
また、請求項９の発明は、請求項１に記載の図形処理装置において、前記第２の取得手段は、前記複数の図形オブジェクトのうち、前記処理対象図形オブジェクトの図形部が内接する矩形の８近傍に位置するそれぞれの図形オブジェクトを、前記隣接図形オブジェクトとして選択することを特徴とする。
【００２０】
また、請求項１０の発明は、請求項１ないし請求項９のいずれかに記載の図形処理装置において、前記表示手段は、前記処理対象図形オブジェクトを前記隣接図形オブジェクトと異なった表示態様で表示することを特徴とする。
【００２１】
また、請求項１１の発明は、請求項１０に記載の図形処理装置において、前記表示手段は、前記処理対象図形オブジェクトを前記隣接図形オブジェクトと異なった色で表示することを特徴とする。
【００２２】
また、請求項１２の発明は、請求項１０または請求項１１に記載の図形処理装置において、前記表示手段は、前記処理対象図形オブジェクトを構成する線分を前記隣接図形オブジェクトを構成する線分と異なった太さで表示することを特徴とする。
【００２３】
また、請求項１３の発明は、複数の図形要素から構成される図形部をそれぞれが有する複数の図形オブジェクトを所定の平面範囲内に配置してなる図形情報データについての処理を行う図形処理方法であって、前記複数の図形オブジェクトの中から選択された処理対象図形オブジェクトを取得する工程と、前記処理対象図形オブジェクトに隣接して配置された隣接図形オブジェクトを取得する工程と、前記処理対象図形オブジェクトを基準とし、前記処理対象図形オブジェクトと前記隣接図形オブジェクトとの位置関係を保持しつつ、前記処理対象図形オブジェクトを前記隣接図形オブジェクトとともに表示する工程と、前記処理対象図形オブジェクトを編集する編集工程と、を備え、前記編集工程が、 前記処理対象図形オブジェクトと前記隣接図形オブジェクトとの双方を前記表示部に表示させた状態で、前記処理対象図形オブジェクトをオペレータの指示に基づいて編集する工程、を備えることを特徴とする。
【００２４】
また、請求項１４の発明は、複数の図形要素から構成される図形部をそれぞれが有する複数の図形オブジェクトを所定の平面範囲内に配置してなる図形情報データについての処理を行うコンピュータ読み取り可能なプログラムであって、前記コンピュータによる前記プログラムの実行は、前記コンピュータに、前記複数の図形オブジェクトの中から選択された処理対象図形オブジェクトを入力して前記コンピュータの記憶部に格納する工程と、前記処理対象図形オブジェクトに隣接して配置された隣接図形オブジェクトを入力して前記コンピュータの記憶部に格納する工程と、前記コンピュータの演算部によって、前記記憶部に格納された前記処理対象図形オブジェクトを基準とし、前記処理対象図形オブジェクトと前記記憶部に格納された前記隣接図形オブジェクトとの位置関係を保持しつつ、前記処理対象図形オブジェクトを前記隣接図形オブジェクトとともに表示部に表示する工程と、オペレータの操作に応答して、前記記憶部に格納された前記処理対象図形オブジェクトを編集する編集工程と、を実行させ、前記編集工程が、前記処理対象図形オブジェクトと前記隣接図形オブジェクトとの双方を前記表示部に表示させた状態で、前記処理対象図形オブジェクトをオペレータの指示に基づいて編集する工程、を備えることを特徴とする。
【発明の効果】
【００２５】
請求項１から請求項１４に記載の発明によれば、処理対象図形オブジェクトの編集作業を行う際に、隣接図形オブジェクトを参照することができ、処理対象図形と隣接図形オブジェクトの干渉状況を確認することができる。そのため、図形オブジェクトの図形部やマスク部の編集作業を効率的に行うことができ、編集作業のスループットを向上させることができる。
【００２６】
特に、請求項２に記載の発明によれば、マスク部の平面的な広がり範囲について、隣接図形オブジェクトとの干渉状況を確認しつつ編集作業をすることができ、編集作業のスループットを向上させることができる。
【００２７】
特に、請求項３に記載の発明によれば、複数の図形オブジェクトのうち、第２の定型図形と重なる図形オブジェクトを隣接図形オブジェクトとすることができる。そのため、容易に隣接図形オブジェクトを選択することができる。
【００２８】
特に、請求項４に記載の発明によれば、第２の定型図形と重なる外接領域に対応する図形オブジェクトを隣接図形オブジェクトとすることができる。そのため、容易に隣接図形オブジェクトを選択することができる。
【００２９】
特に、請求項５に記載の発明によれば、第３の矩形によって囲まれる領域を外接領域としている。これにより、外接領域の設定を容易に設定することができるため、容易に隣接図形オブジェクトを選択することができる。
【００３０】
特に、請求項６に記載の発明によれば、複数の図形オブジェクトの中から、第１の矩形に基づいて第２の矩形を設定し、第２の矩形と重なる図形オブジェクトを隣接図形オブジェクトとすることができる。そのため、容易に隣接図形オブジェクトを選択することができる。
【００３１】
特に、請求項７に記載の発明によれば、複数の図形オブジェクトのうち処理対象図形オブジェクトの周囲に隣接する図形オブジェクトを効率的に選択することができる。
【００３２】
特に、請求項８に記載の発明によれば、処理対象図形オブジェクトの図形部が内接する矩形の４近傍、すなわち、当該矩形を基準として上下左右に位置する図形オブジェクトを隣接図形オブジェクトとして容易に取得することができる。
【００３３】
特に、請求項９に記載の発明によれば、処理対象図形オブジェクトの図形部が内接する矩形の８近傍に位置する図形オブジェクトを隣接図形オブジェクトとして容易に取得することができる。
【００３４】
特に、請求項１０に記載の発明によれば、処理対象図形オブジェクトと隣接図形オブジェクトとを容易に識別することができる。そのため、処理対象図形オブジェクトを効率的に編集することができる。
【００３５】
特に、請求項１１に記載の発明によれば、処理対象図形オブジェクトと隣接図形オブジェクトとは異なった色で表示されており、処理対象図形オブジェクトと隣接図形オブジェクトとを容易に識別することができる。そのため、処理対象図形オブジェクトを効率的に編集することができる。
【００３６】
特に、請求項１２に記載の発明によれば、処理対象図形オブジェクトを構成する線分と隣接図形オブジェクトを構成する線分とは異なった太さで表示されており、処理対象図形オブジェクトと隣接図形オブジェクトとを容易に識別することができる。そのため、処理対象図形オブジェクトを効率的に編集することができる。
【発明を実施するための最良の形態】
【００３７】
以下、図面を参照しつつ本発明の実施の形態について詳細に説明する。
【００３８】
＜１．第１の実施の形態＞
＜１．１．図形処理システムの構成＞
図１は、本発明の第１の実施の形態における図形処理システム１の構成の一例を示す図である。図形処理システム１は、図１に示すように、主として、図形処理装置１００と、図形処理装置１００に入力データを供給する図形データ入力装置５１０およびデザインデータ入力装置５２０から構成される入力装置群５００と、印刷装置６１０および裁断装置６２０とから構成され、図形処理装置１００による処理結果を出力する出力装置群６００と、装置１００、５１０、５２０、６１０、６２０のそれぞれを接続するネットワーク４００とから構成される。
【００３９】
図形処理装置１００は、種々の画像や図形要素（例えば、直線や曲線）について画面を見ながら所望の平面範囲内に配置することにより、印刷対象物（例えば、紙や刷版）上に印刷される画像や図形要素の位置を指定したページレイアウトデータを作成する装置である。
【００４０】
なお、本実施の形態の図形処理装置１００では、商品の収納・包装に用いられる紙製の容器である紙器の展開図を刷版上の印刷領域内に複数配置したページレイアウトデータを作成する場合について説明するが、これに限定されるものでなく、単一の処理対象図形（例えば、１つの展開図）を刷版上の印刷領域内に配置したページレイアウトデータを作成する場合であってもよい。また、図形処理装置１００のハードウェア構成および図形処理装置１００による図形処理の詳細については後述する。
【００４１】
入力装置群５００を構成する図形データ入力装置５１０およびデザインデータ入力装置５２０は、それぞれ図形処理装置１００の刷版上に配置する入力データを作成するとともに、ネットワーク４００を介して図形処理装置１００に送信する。
【００４２】
図形データ入力装置５１０は、紙器の展開図２１０を複数配置したＣＡＤデータ５１１（図３参照）を作成する装置であり、いわゆるパーソナルコンピュータやワークステーションによって構成される。図形データ入力装置５１０において作成された各展開図２１０は、複数の線分を図形要素として構成されている。また展開図２１０を構成する複数の線分のそれぞれは、開始点および終了点の位置情報を有する。すなわち、図形要素としての各線分は、開始点および終了点の位置情報を一組の図形データとして特定することができる。そして、図形データ入力装置５１０にて作成されたＣＡＤデータは、ネットワーク４００を介して図形処理装置１００に入力される。このようにＣＡＤデータは図形情報データとして使用される。
【００４３】
デザインデータ入力装置５２０は、紙器の展開図２１０上に付する模様や色彩等のデザインを作成する装置であり、図形データ入力装置５１０と同様に、いわゆるパーソナルコンピュータやワークステーションによって構成される。
【００４４】
ここで、デザインデータ入力装置５２０は、点（例えば、ドットまたはピクセル）の集まりとして表現されるグラフィックを加工、修正するペイント系ソフトウェアや、線を使って作成されたグラフィックスを加工、修正するドロー系ソフトウェアがインストールされている。そのため、デザインデータ入力装置５２０によって種々のデザインデータを作成することができる。そして、デザインデータ入力装置５２０にて作成されたデザインデータは、ネットワーク４００を介して図形処理装置１００に入力される。
【００４５】
出力装置群６００は、図形処理装置１００において作成されたページレイアウトデータに基づいて作成された刷版により、複数の展開図を印刷対象物（例えば、ダンボールや厚紙）に印刷する印刷装置６１０と、当該印刷対象物に印刷された展開図を個々に裁断する裁断装置６２０とによって構成される。なお、印刷装置６１０の装置構成によっては、刷版を介さず、ページレイアウトデータに基づいて直接印刷対象物に印刷してもよい。
【００４６】
＜１．２．図形処理装置の構成＞
図２は、図形処理装置１００のハードウェア構成の一例を示す図である。図形処理装置１００では、上述のように、印刷対象物上に印刷される画像や図形要素の位置を指定したページレイアウトデータを作成する装置であり、図形データ入力装置５１０およびデザインデータ入力装置５２０と同様に、いわゆるパーソナルコンピュータやワークステーションによって構成される。図２に示すように、図形処理装置１００は、主として、（１）制御部１１０と、（２）図形処理装置１００のオペレータ（以下、単に「オペレータ」と称する）の指示を入力する入力装置１３０と、（３）ＣＡＤデータやデザインデータを表示したり、図形処理結果を表示する表示装置１４０とを備える。
【００４７】
ここで、入力装置１３０は、いわゆるマウスやキーボード等の入力デバイス（図示省略）によって構成されている。オペレータは、マウスやキーボードを使用して表示装置１４０の表示画面１４５（図３参照）に表示された内容に従って操作することにより、図形処理装置１００に対して所定の処理を実行させることができる。
【００４８】
制御部１１０は、主として、（１）ＣＰＵ１１１と、（２）ＲＯＭ１１２と、（３）ＲＡＭ１１３と、（４）記憶部１２０と、（５）図形データ入力装置５１０、デザインデータ入力装置５２０および印刷装置６１０のそれぞれとデータ授受の処理を行う入出力部１１４とを備える。図２に示すように、ＣＰＵ１１１、ＲＯＭ１１２、ＲＡＭ１１３、記憶部１２０、および入出力部１１４は、バスライン１１５を介してそれぞれ電気的に接続されている。さらに、入力装置１３０および表示装置１４０のそれぞれもバスライン１１５に対して電気的に接続されている。
【００４９】
ＲＡＭ１１３は、記憶部１２０と比較して高速にＣＰＵ１１１との間でデータの授受を行うことができる素子であり、ＣＰＵ１１１で実行するのに必要となるプログラムやデータを記憶部１２０のプログラム記憶領域１２２、および図形データ記憶領域１２１から読み出して格納する。なお、本実施の形態では、後述する処理対象図形オブジェクトおよび隣接図形オブジェクトの同時表示処理で使用される処理対象図形オブジェクト記憶領域１１３ａおよび隣接図形オブジェクト記憶領域１１３ｂの各領域が予め確保されている（図２参照）。
【００５０】
記憶部１２０は、シリコンディスクドライブやハードディスクドライブ等の外部装置によって構成された大容量記憶装置であり、データサイズの大きいデータを保存することができる。そして、必要に応じてＲＡＭ１１３との間でデータの授受を行う。なお、本実施の形態において記憶部１２０の図形データ記憶領域１２１には、入出力部１１４を介して図形処理装置１００の制御部１１０に入力されるＣＡＤデータ５１１（図２参照）や、デザインデータ５２１が格納される。また、図形データ記憶領域１２１には、後述するマスク作成処理によって作成されたマスク（図３参照）に関する情報も格納される。
【００５１】
ＣＰＵ１１１は、ＲＯＭ１１２やＲＡＭ１１３に格納されているプログラムに従い、ＲＡＭ１１３と記憶部１２０との間にてデータの読み込みや書き込み処理を所定のタイミングで実行することができる。また、ＣＰＵ１１１は、入出力部１１４およびネットワーク４００を介して電気的に接続された図形データ入力装置５１０、デザインデータ入力装置５２０、および印刷装置６１０のそれぞれと、ＣＡＤデータ５１１、デザインデータ５２１、およびページレイアウトデータの授受を送受信処理を所定のタイミングで実行することができる。
【００５２】
ここで、本実施の形態において実行される図形処理の一例について説明する。図３は、図形処理装置１００において実行される図形処理の一例を示す図である。図形処理装置１００では、図３に示すように、主として、（１）〜（４）の工程によって複数の展開図２１０のそれぞれにデザインデータ５２１を重ね合わせる処理が実行される。なお、各展開図２１０のそれぞれは、図３に示すように、６つの正方形によって構成された立方体の展開図である。
【００５３】
（１）の工程では、図形データ入力装置５１０によって作成された複数の紙器の展開図２１０からなるＣＡＤデータであって、記憶部１２０の図形データ記憶領域１２１に格納されているものをＲＡＭ１１３に読み込む。そして、刷版上を示す領域（以下、単に「刷版領域」とも呼ぶ）１４１の印刷可能領域１４２にＣＡＤデータ５１１を挿入して表示画面１４５に表示する。
【００５４】
（２）の工程では、オペレータの操作に従い、マスク処理で必要となるマスクを作成する。ここで、マスク処理とは、印刷可能領域１４２上のうちマスクの内側にて特定される領域のみを図形処理の対象とし、その他の領域に対しては当該図形処理の影響を及ぼさないようにすることをいう。またマスクとは図形処理の対象となる領域と対象とならない領域との境界線をいい、当該マスクによってデザインデータを付与する際の付与範囲を規定することができる。そして、特定のマスクが指定された場合、そのマスクの内側だけに所定の図形処理が施されることになる。
【００５５】
なお、本実施の形態のマスク２２０は、図３に示すように、印刷可能領域１４２に表示される複数の展開図２１０のそれぞれの周囲に、展開図２１０の外周形状と略相似形状となるように作成される。すなわち、マスク２２０は、展開図２１０を膨張させた範囲として形成される。また、マスク２２０の領域は、展開図２１０の領域と、展開図２１０の外部を囲む帯状領域２１０Ｐとを一体化した範囲に相当する。さらに、本実施の形態において展開図２１０（図形部）と対応するマスク２２０（マスク部）とを組み合わせたもの、または、展開図２１０を「図形オブジェクト」と呼ぶこととする。
【００５６】
（３）の工程では、デザインデータ入力装置５２０によって作成されたデザインデータ５２１であって、記憶部１２０の図形データ記憶領域１２１に格納されているものをＲＡＭ１１３に読み込む。
【００５７】
ところで、展開図２１０の内側領域にのみデザインが付されている場合において、印刷物に印刷された各展開図２１０のそれぞれを裁断装置６２０によって裁断する際に、裁断線が展開図２１０の外周部の輪郭線２１４から外側にズレると、裁断後の展開図２１０にデザインが付されていない場所が存在することが考えられる。
【００５８】
そこで、当該裁断線が展開図２１０の輪郭線２１４外側にズレた場合であっても、裁断された展開図２１０上のすべての領域にデザインが付された状態とするため、図４に示すように、各展開図２１０の外周部の輪郭線より外側の環状矩形状の領域２３０にもデザインが付されている。すなわち、デザインデータ５２１には、展開図２１０を中心として展開図２１０よりも広い領域にデザインが付されている。
【００５９】
そして、（４）の工程では、複数の展開図２１０のそれぞれに対応するマスク２２０にデザインデータ５２１を挿入して各展開図２１０にデザインデータ５２１を重ね合わせる。すなわち、各マスク２２０を選択するとともに、その選択されたマスクの内側だけにデザインデータ５２１を挿入する。この際、各展開図２１０の向きに留意して、デザインデータ５２１を上下回転、左右回転、または、所定の位置を中心に所定角度だけ回転させたものを挿入する。
【００６０】
これにより、デザインデータ５２１においてデザインが付された領域面積が各展開図２１０の領域面積よりも大きい場合であっても、デザインデータ５２１を重ね合わせる処理の対象となった展開図２１０にのみデザインを付することができ、他の展開図２１０に影響を及ぼさない。
【００６１】
そして、複数の展開図２１０のすべてに対してデザインデータ５２１の重ね合わせ処理を実行することにより、すべての展開図２１０に対してデザインが付される。
【００６２】
＜１．３．処理対象図形オブジェクトと隣接図形オブジェクトとの同時表示＞
上述のように、展開図２１０のデザインデータ５２１を重ね合わせる処理は、各展開図２１０の周囲に作成されるマスク２２０にデザインデータ５２１を挿入することによって実行される。
【００６３】
ここで、図３に示すように、ＣＡＤデータ５１１には１枚の被印刷材料（例えば、厚紙やダンボール等）から可能な限り多くの紙器を取得することを目的として、隣接する展開図２１０同士は、それぞれ近接して、また場合によっては展開図の一部が接した状態で配置される。そのため、図５に示すように、展開図２１０ａに対応するマスク２２０の内側領域に、隣接する展開図２１０ｄの一部である部分２２１ｄ、および展開図２１０ｅの一部である部分２２１ｅのそれぞれが含まれる場合が生ずる。その結果、展開図２１０ａに付するデザインが隣接する展開図２１０ｄの部分２２１ｄ、および展開図２１０ｅの部分２２１ｅにも付されてしまうといった問題が生ずる。
【００６４】
したがって、展開図２１０ａ、２１０ｄ、２１０ｅに正しくデザインを付するためには、展開図２１０ａに対応するマスク２２０の内側領域に、隣接する展開図２１０ｄの部分２２１ｄ、および展開図２１０ｅの部分２２１ｅであって展開図２１０ａのデザインが付されることが好ましくない部分（例えば、展開図２１０ｄ上に商品名や図形等が付されている部分）を含まないようにマスク２２０を編集して修正する必要がある。すなわち、マスク２２０の平面的な広がりを補正する作業が必要となる。
【００６５】
そこで、本実施の形態では、展開図２１０ａの周囲に対応するマスク２２０を効率的に編集して修正することができるようにするため、処理対象図形オブジェクトと隣接図形オブジェクトとの双方を同時に表示している。
【００６６】
なお、以下に説明する処理対象図形オブジェクトおよび隣接図形オブジェクトの同時表示処理（以下、単に、「同時表示処理」とも呼ぶ）を実行するプログラムは、記憶部１２０のプログラム記憶領域１２２（図２参照）に予め格納されており、当該プログラムの実行時に記憶部１２０からＲＡＭ１１３にコピーされて、ＣＰＵ１１１によって実行される。
【００６７】
また、複数の展開図２１０のうちオペレータによって選択された１つの展開図２１０ａと対応するマスク２２０とを組み合わせたものを処理対象図形オブジェクトと、当該処理対象図形オブジェクトに隣接する展開図２１０ｂ〜２１０ｉのそれぞれを隣接図形オブジェクトと、それぞれ呼ぶこととする。
【００６８】
さらに、以下に説明する処理対象図形オブジェクトと隣接図形オブジェクトとを同時に表示する処理を実行するプログラムは、記憶部１２０に予め格納されており、当該プログラムの実行時に記憶部１２０からＲＡＭ１１３にコピーされて、ＣＰＵ１１１によって実行される。
【００６９】
図６は、本実施の形態において、展開図２１０ａおよびマスク２２０を処理対象図形オブジェクトとした場合に隣接図形オブジェクトを取得して表示するための手順である。また、図７は、隣接図形オブジェクトを取得する方法の一例を説明するための図である。また、図８および図９は、表示装置１４０の表示画面１４５に表示される図形オブジェクトの一例を示す図である。
【００７０】
処理対象図形オブジェクトおよび隣接図形オブジェクトの同時表示処理（以下、単に、「同時表示処理」とも呼ぶ）では、まず、表示装置１４０の表示画面１４５に複数の展開図２１０を表示する「全体表示モード」において、オペレータが入力装置１３０のマウスやキーボード（図示省略）によって展開図２１０ａを選択すると、この選択された展開図２１０ａおよび対応するマスク２２０に関するデータが記憶部１２０の図形データ記憶領域１２１から読込まれてＲＡＭ１１３の処理対象図形オブジェクト記憶領域１１３ａに格納される（Ｓ１０１）。
【００７１】
次に、ステップＳ１０２において、処理対象図形オブジェクトに隣接する隣接図形オブジェクトに関するデータを取得する際に使用する選択領域２５０（図７参照）の設定を行う。
【００７２】
具体的には、まず、処理対象図形オブジェクトのうち展開図２１０ａに外接する境界線２５３を有する矩形形状の外接領域２５２を設定する。すなわち、展開図２１０上のＸ座標がＸ＝Ｘ１と最小となる点Ｐ１と、Ｘ座標がＸ＝Ｘ２と最大となる点Ｐ２と、Ｙ座標がＹ＝Ｙ１と最小となる点Ｐ３と、Ｙ座標がＹ＝Ｙ２と最大となる点Ｐ４とを通る矩形形状の外接領域２５２を設定する。
【００７３】
次に、点Ｐ５（Ｘ，Ｙ）＝（Ｘ３，Ｙ３）と、点Ｐ６（Ｘ，Ｙ）＝（Ｘ４，Ｙ３）と、点Ｐ７（Ｘ，Ｙ）＝（Ｘ４，Ｙ４）と、点Ｐ８（Ｘ，Ｙ）＝（Ｘ３，Ｙ４）とを通り、境界線２５３の外方に位置する複数の線分を境界線２５１とし、外接領域２５２を含むように外側領域２５０を設定する。
【００７４】
ここで、外接領域２５２に対する外側領域２５０のＸ方向の広がり率ＲＸをおよびＹ方向の広がり率ＲＹを、それぞれ数１および数２のように定義する。
【００７５】
ＲＸ＝（Ｘ１−Ｘ３）／（Ｘ２−Ｘ１）
＝（Ｘ４−Ｘ２）／（Ｘ２−Ｘ１）  ・・・  数１
ＲＹ＝（Ｙ１−Ｙ３）／（Ｙ２−Ｙ１）
＝（Ｙ４−Ｙ２）／（Ｙ２−Ｙ１）  ・・・  数２
数１に示すように、外接領域２５２の右側部分および左側部分のそれぞれの広がり率ＲＸの値は一致する。また、数２に示すように、外接領域２５２の上部および下部のそれぞれの広がり率ＲＹの値は一致する。したがって、数１および数２より、外側領域２５０の中心位置と外接領域２５２の中心位置は点ＰＣにて略一致することとなる。さらに、数１および数２と図７とより、外接領域２５２は外側領域２５０に含まれて囲まれることとなる。
【００７６】
なお、広がり率ＲＸ、ＲＹのそれぞれの値は、数３（好ましくは、数４）を満たすように設定する。
【００７７】
０．０５≦（ＲＸ、ＲＹ）≦０．３０  ・・・  数３
０．１０≦（ＲＸ、ＲＹ）≦０．２０  ・・・  数４
そして、外側領域２５０を隣接図形オブジェクトの選択する選択領域２５０として設定する。
【００７８】
続いて、ステップＳ１０２において設定した選択領域２５０に存在する展開図２１０、すなわち、選択領域２５０と重なりを有する図形オブジェクトを隣接図形オブジェクトとして選択する（Ｓ１０３）。例えば、図７に示す展開図２１０ａを処理対象図形オブジェクトとした場合、選択領域２５０に存在する展開図２１０ｂ〜２１０ｉが隣接図形オブジェクトとして選択される。続いて、選択された展開図２１０ｂ〜２１０ｉのそれぞれに関するデータを図形データ記憶領域１２１から読込んでＲＡＭ１１３の隣接図形オブジェクト記憶領域１１３ｂに格納する（Ｓ１０４）。
【００７９】
そして、表示画面１４５の表示モードを「全体表示モード」から「編集可能モード」に切替えると（Ｓ１０５）、表示画面１４５に処理対象図形オブジェクトとしての展開図２１０ａおよびマスク２２０と、隣接図形オブジェクトとしての展開図２１０ｂ〜２１０ｅとが表示される（Ｓ１０６：図８参照）。
【００８０】
ここで、「編集可能モード」とは、隣接図形オブジェクトを表示するとともに、処理対象図形オブジェクトを編集して修正することができる状態で表示するモードである。
【００８１】
したがって、ステップＳ１０６において表示画面１４５に表示された展開図２１０ａやマスク２２０は、展開図２１０ｂ〜２１０ｅとの干渉状態（例えば、展開図２１０ａに対応するマスク２２０の内側領域に展開図２１０ｂ〜２１０ｅのいずれかの一部を含んでいるか否か）を容易に把握することできる。
【００８２】
すなわち、オペレータは、処理対象図形オブジェクトと隣接図形オブジェクトとの双方を表示画面１４５に表示した状態で、入力装置１３０のマウスやキーボード（図示省略）を使用した指示に基づいて、処理対象図形オブジェクトの編集作業を行うことができる。そのため、展開図２１０ａやマスク２２０の編集作業を効率的に行うことができ、編集作業のスループットを向上させることができる。
【００８３】
なお、本実施の形態の「編集可能モード」では、表示倍率を変更することができる。そのため、表示倍率を図８の表示状態と比較して下げることにより、図１０に示すように、処理対象図形オブジェクトとしての展開図２１０ａおよびマスク２２０と、隣接図形オブジェクトとしての展開図２１０ｂ〜２１０ｅをすべて表示することができる。
【００８４】
＜１．４．第１の実施の形態の図形処理装置の利点＞
以上のように、第１の実施の形態の図形処理装置１００では、処理対象図形オブジェクトと隣接図形オブジェクトとを同時に表示画面１４５に表示することができる。そのため、オペレータは、両図形オブジェクトの干渉状態を容易に把握することができ、処理対象図形オブジェクトの編集作業のスループットを向上させることができる。また、本実施の形態では、選択領域２５０に存在する展開図２１０を隣接図形オブジェクトとすることができるため、容易に隣接図形オブジェクトを選択することができる。
【００８５】
＜２．第２の実施の形態＞
次に、本発明の第２の実施の形態について説明する。第２の実施の形態における図形処理装置は、第１の実施の形態の図形処理装置と比較して、隣接図形オブジェクトの選択方法が相違する点を除いては、第１の実施の形態の図形処理装置と同様である。そこで、以下では、この相違点を中心に説明する。
【００８６】
なお、以下の説明において、第１の実施の形態の図形処理装置における構成要素と同様な構成要素については同一符号を付している。これら同一符号の構成要素は、第１の実施の形態において説明済みであるため、本実施形態では説明を省略する。
【００８７】
＜２．１．処理対象図形オブジェクトと隣接図形オブジェクトとの同時表示＞
図１１は、本実施の形態において、展開図２１０ａおよびマスク２２０を処理対象図形オブジェクトとした場合に隣接図形オブジェクトを取得して表示するための手順である。また、図１２は、隣接図形オブジェクトを取得する方法の一例を説明するための図である。また、図１３は、表示装置１４０の表示画面１４５に表示される図形オブジェクトの一例を示す図である。
【００８８】
なお、本実施の形態の同時表示処理では、処理に先だって、ＣＡＤデータ５１１に含まれる複数の展開図２１０（図３参照）のそれぞれについて、図１２に示す外接領域２５７（２５７ｂ〜２５７ｉ）が設定される。ここで、外接領域２５７とは、各展開図２１０に外接する定型図形（本実施の形態では矩形）によって囲まれる内側領域のことをいう。すなわち、展開図２１０は、当該定型図形に内接することとなる。そして、各外接領域２５７に関する情報（定型図形が矩形の場合、各頂点の位置情報）は、記憶部１２０の図形データ記憶領域１２１に格納される。
【００８９】
本実施の形態の同時表示処理では、表示装置１４０の表示画面１４５に複数の展開図２１０を表示する「全体表示モード」において、オペレータが入力装置１３０のマウスやキーボード（図示省略）によって展開図２１０ａを選択すると、この選択された展開図２１０ａおよび対応するマスク２２０に関するデータが記憶部１２０の図形データ記憶領域１２１から読込まれてＲＡＭ１１３の処理対象図形オブジェクト記憶領域１１３ａに格納される（Ｓ２０１）。
【００９０】
次に、ステップＳ２０２では、第１の実施の形態のステップＳ１０２と同様に（図６参照）隣接図形オブジェクトに関するデータを取得する際に使用する選択領域２５０（図１２参照）の設定を行う。
【００９１】
具体的には、まず、処理対象図形オブジェクトのうち展開図２１０ａに外接する境界線２５３を有する矩形形状の外接領域２５２を設定する。次に、外接領域２５２に対するＸ方向の広がり率ＲＸをおよびＹ方向の広がり率ＲＹが、数３（好ましくは数４）を満たすように選択領域２５０を設定する。
【００９２】
続いて、ステップＳ２０２において設定した選択領域２５０と重なりを有する外接領域２５７を探索するとともに、探索された外接領域２５７に対応するオブジェクトを隣接図形オブジェクトとして選択する（Ｓ２０３）。例えば、図１２に示す展開図２１０ａを処理対象図形オブジェクトとした場合、選択領域２５０に存在して重なりを有する外接領域２５７ｂ〜２５７ｉのそれぞれに対応する展開図２１０ｂ〜２１０ｉが隣接図形オブジェクトとして選択される。
【００９３】
続いて、選択された展開図２１０ｂ〜２１０ｉのそれぞれに関するデータを図形データ記憶領域１２１から読込んでＲＡＭ１１３の隣接図形オブジェクト記憶領域１１３ｂに格納する（Ｓ２０４）。
【００９４】
そして、表示画面１４５の表示モードを「全体表示モード」から「編集可能モード」に切替えると（Ｓ２０５）、表示画面１４５に処理対象図形オブジェクトとしての展開図２１０ａおよびマスク２２０と、隣接図形オブジェクトとしての展開図２１０ｂ〜２１０ｉとが表示される（Ｓ２０６：図１３参照）。
【００９５】
このように、同時表示処理を実行すると、表示画面１４５には、第１の実施の形態の場合と同様に、展開図２１０ａおよびマスク２２０とともに、展開図２１０ｂ〜２１０ｉを表示することができる。そのため、展開図２１０ａの周囲に設定されたマスク２２０と展開図２１０ｂ〜２１０ｉとの干渉状態（例えば、展開図２１０ａに対応するマスク２２０の内側領域に展開図２１０ｂ〜２１０ｅのいずれかの一部を含んでいるか否か）を容易に把握することできる。
【００９６】
＜２．２．第２の実施の形態の図形処理装置の利点＞
以上のように、第２の実施の形態の図形処理装置では、第１の実施の形態の図形処理装置と同様に、処理対象図形オブジェクトと隣接図形オブジェクトとを同時に表示画面１４５に表示することができる。そのため、オペレータは、両図形オブジェクトの干渉状態を容易に把握することができ、処理対象図形オブジェクトの編集作業のスループットを向上させることができる。
【００９７】
また、本実施の形態では、選択領域２５０に存在する外接領域２５７に対応する展開図２１０を隣接図形オブジェクトとすることができるため、容易に隣接図形オブジェクトを選択することができる。
【００９８】
＜３．変形例＞
以上、本発明の実施の形態について説明したが、この発明は上記の例に限定されるものではない。
【００９９】
（１）本実施の形態では、選択領域２５０に存在する展開図２１０を隣接図形オブジェクトとして選択しているが、これに限定されるものでない。例えば、図１４に示すように、展開図２１０ａが内接する矩形形状の外接領域２５２を中心として上下左右に配置された、すなわち、外接領域２５２の４近傍の位置に配置された４つの展開図２１０ｂ〜２１０ｅのそれぞれを隣接図形オブジェクトとして選択してもい。
【０１００】
また、展開図２１０ａが内接する矩形形状の外接領域２５２の周囲に存在する８つの展開図２１０ｂ〜２１０ｉを、すなわち、外接領域２５２の８近傍に位置する展開図２１０ｂ〜２１０ｉを、それぞれ隣接図形オブジェクトとして選択してもよい。
【０１０１】
（２）また、本実施の形態の表示画面１４５に表示される処理対象図形オブジェクトの表示態様と隣接図形オブジェクトの表示態様とを異なったものとしてよい。例えば、両図形オブジェクトの線分の色や線分の太さをそれぞれ異なったもにしてもよい。これにより、処理対象図形オブジェクトと隣接図形オブジェクトとを容易に識別することが可能となり、処理対象図形オブジェクトの編集作業を効率的に行うことができる。
【０１０２】
（３）また、本実施の形態の同時表示処理では、記憶部１２０から処理対象図形オブジェクトに関するデータと、隣接図形オブジェクトに関するデータとを取得した後に、両図形オブジェクトを同時に表示しているが、これに限定されるものでない。例えば、第１の実施の形態の同時表示処理のステップＳ１０６において、まず、処理対象図形オブジェクトを表示した後（図９参照）、オペレータの指示に基づいて、隣接図形オブジェクトの表示／非表示を切替えてもよい。また、第２の実施の形態についても同様である。
【０１０３】
（４）さらに、本実施の形態において、隣接図形オブジェクトは、展開図２１０から構成されるが、これに限定されるものでなく、展開図２１０とマスク２２０とから構成されるとしてもよい。
【図面の簡単な説明】
【０１０４】
【図１】本発明の実施の形態における図形処理システムの構成の一例を示す図である。
【図２】本発明の実施の形態における図形処理装置のハードウェア構成の一例を示す図である。
【図３】図形処理装置において実行される図形処理の一例を説明するための図である。
【図４】デザインの一例を示す図である。
【図５】隣接図形オブジェクトの干渉状態を説明するための図である。
【図６】本発明の第１の実施の形態における処理対象図形オブジェクトおよび隣接図形オブジェクトを同時に表示する処理の手順を示すフローチャートである。
【図７】本発明の第１の実施の形態における隣接図形オブジェクトを取得する方法の一例を説明するための図である。
【図８】本発明の第１の実施の形態における処理対象図形オブジェクトと隣接図形オブジェクトの表示例を示す図である。
【図９】本発明の第１の実施の形態における処理対象図形オブジェクトの表示例を示す図である。
【図１０】本発明の第１の実施の形態における処理対象図形オブジェクトと隣接図形オブジェクトの表示例を示す図である。
【図１１】本発明の第２の実施の形態における処理対象図形オブジェクトおよび隣接図形オブジェクトを同時に表示する処理の手順を示すフローチャートである。
【図１２】本発明の第２の実施の形態における隣接図形オブジェクトを取得する方法の一例を説明するための図である。
【図１３】本発明の第２の実施の形態における処理対象図形オブジェクトと隣接図形オブジェクトの表示例を示す図である。
【図１４】隣接図形オブジェクトを取得する方法の他の例を説明するための図である。
【符号の説明】
【０１０５】
１  図形処理システム
１００  図形処理装置
１１０  制御部
１２０  記憶部
１２１  図形データ記憶領域
１２２  プログラム記憶領域
１３０  入力装置
１４０  表示装置
１４２  印刷可能領域
２１０（２１０ａ〜２１０ｉ）  展開図
２２０  マスク
２５０  外側領域、選択領域
２５２  外接領域
２５１、２５３  境界線
２５７  外接領域２５７（２５７ｂ〜２５７ｉ）
２６０  図形オブジェクト
４００  ネットワーク
５００  入力装置群
６００  出力装置群
【図１】
2005202666.tif 000003
【図２】
2005202666.tif 000004
【図３】
2005202666.tif 000005
【図４】
2005202666.tif 000006
【図５】
2005202666.tif 000007
【図６】
2005202666.tif 000008
【図７】
2005202666.tif 000009
【図８】
2005202666.tif 000010
【図９】
2005202666.tif 000011
【図１０】
2005202666.tif 000012
【図１１】
2005202666.tif 000013
【図１２】
2005202666.tif 000014
【図１３】
2005202666.tif 000015
【図１４】
2005202666.tif 000016